(57)【要約】【課題】簡単かつ安価な構成であるにもかかわらず、災害時やアウトドアでの使用時に、確実に着火できる防水マッチ及びそれにより着火可能な防水線香を提供する。【解決手段】これは、マッチ棒２０をアルミ缶に収納した防水マッチ１０であって、マッチ棒２０の頭薬２２と軸木２１とに撥水加工を施すとともに、アルミ缶１０の蓋体２の内側にある擦合着火部３の側薬に撥水加工を施したものである。また、この防水マッチ１０により着火可能な防水線香３０であって、線香本体３１に撥水加工を施したものである。これらにより、災害時やアウトドアでの使用時に、マッチと線香とが水に濡れてしまい、あるいは湿気てしまって、肝心なときに使用できないといった不具合がない。【選択図】図３
2016069257.tif 000002
【特許請求の範囲】
【請求項１】
マッチ棒を容器に収納した防水マッチであって、
前記マッチ棒の頭薬に撥水剤を全面塗布したことを特徴とする防水マッチ。
【請求項２】
前記容器の側薬に撥水剤を全面塗布したことを特徴とする請求項１記載の防水マッチ。
【請求項３】
前記容器の側薬に撥水剤を混合することにより、該側薬に撥水作用を持たせたことを特徴とする請求項１記載の防水マッチ。
【請求項４】
前記撥水剤は、シリコーン撥水剤であることを特徴とする請求項１〜３のいずれか１項に記載の防水マッチ。
【請求項５】
前記容器は、アルミニウム製の缶又は箱であることを特徴とする請求項１〜４のいずれか１項に記載の防水マッチ。
【請求項６】
請求項１〜５のいずれか１項に記載の防水マッチで着火可能な防水線香であって、
前記線香本体に撥水剤を全面塗布するか、或いは、前記線香本体に撥水剤を混合することにより、該線香本体に撥水作用を持たせたことを特徴とする防水線香。
【発明の詳細な説明】
【技術分野】
【０００１】
本発明は、防水マッチ及びそれにより着火可能な防水線香に関するものであって、詳しくはアウトドアや災害時等に使用可能な防水マッチ及びそれにより着火可能な防水線香に関するものである。
【背景技術】
【０００２】
図９は一般的なマッチ５０を示す斜視図、図１０はその製造工程図である。一般的なマッチ５０は、図９に示すように、マッチ箱（紙製）の外箱５１に挿脱自在にはめ込まれた内箱５２内に、複数のマッチ棒６０がその着火部となる頭薬６２を同じ向きに揃えて収納されている。
【０００３】
このマッチ５０の製造工程は、図１０に示すように、まず、マッチ棒６０の軸木６１を製造する（ステップＳ５１）。ここでは、燃えカスが落ちないように薬品加工を行う。ついで、マッチ製造を行う（ステップＳ５２）。ここでは、頭薬６２に酸化剤と燃焼剤とを塗布してから乾燥させる。一方、マッチ箱（紙製）の材料となる紙にラベル印刷後、裁断を行う（ステップＳ５３）。ついで、外箱５１、内箱５２の組み立てを行う（ステップＳ５４）。そして、箱詰め機でマッチ棒６０を外箱５１と内箱５２との間に詰める（ステップＳ５５）。外箱５１に側薬（発火剤）５３を塗布してから乾燥させる（ステップＳ５６）。製品完成、出荷する（ステップＳ５７）。
【０００４】
このようにして製造したマッチ５０について、使用者は１本のマッチ棒６０の軸木６１をもって取り出し、外箱５１の側面に塗布等された側薬５３に頭薬６２を擦り合わることにより、当該マッチ棒６０を着火するようになっている。大型のマッチ箱に多量のマッチ棒を装填したものについても、基本的には同様の構成となっている。
【０００５】
ここで、大型台風や巨大地震などの災害で、被災地域が広範かつ被災者の人数が膨大となったときに、避難場所や救援物資が入手できず、ガス・電気などのライフラインが確保できなくなることが想定される。
【０００６】
かかる災害時に、被災者が灯りや暖をとるために、木片などに着火する手段として、マッチ５０は欠くことができないものとなるところ、前記マッチ５０では、防水面あるいは防湿面での配慮が十分でないので、災害時に水に濡れてしまい、あるいは湿気てしまって、肝心なときに使用できないおそれがあった。災害時以外のアウトドアでの使用時にも、マッチ５０が水に濡れてしまい、あるいは湿気てしまって、肝心なときに使用できないおそれがあった。
【０００７】
このため、例えば特許文献１では、大形の箱内に装填されているマッチの軸を開口部から取出し得るようにした箱入りマッチにおいて、前記開口部を覆い得るカバーを設けると共に、このカバーと開口部周辺との間には外気を遮断するためのシール部を設け、しかもシール部はカバーに形成された線状の雄形突部と開口部周辺に形成され、前記雄形突部に着脱可能に嵌り得る溝状の雌形嵌合部とを有する線状ファスナーを備えてなり、前記開口部を開閉可能もしくは着脱可能に蓋をなし得るようにした防湿マッチが開示されており、このマッチ箱の側面には、マッチの軸を擦り合わせることにより着火する擦合着火部を設けている。
【発明の概要】
【発明が解決しようとする課題】
【０００８】
しかしながら、前記特許文献１の技術でも、マッチ箱の側面に擦合着火部を設けているため、災害時やアウトドアでの使用時に、当該擦合着火部が水に濡れてしまい、肝心なときに使用できないおそれがあった。
【０００９】
ここで、前記特許文献１の技術において、カバー部の内側に、マッチの軸を擦り合わせることにより着火する擦合着火部を設けることも考えられるものの、そのような場合には、地震による振動等が加わると、マッチの軸がマッチ箱内でひとりでに移動してしまい、その頭薬が前記擦合着火部と擦り合わされて、ひとりでに着火されてしまうおそれがあったため、実現性に欠けるものとなる。
【００１０】
前記特許文献１では、かかる事態を防ぐべく、マッチ箱を外箱と内箱とに分けて、その内箱の外側に擦合着火部を設けるようにした構成としているが、複雑かつ高価なものとなり、これも実現性に欠けるものであるといわざるをえない。仮にマッチ棒を蓋付きの缶内に閉じ込めた、いわゆる缶入りマッチとすることで、簡単かつ安価な構成としたとしても、該缶の外側に擦合着火部を設けざるをえないことから、災害時やアウトドアでの使用時に、確実に着火できるものとはならない。
【００１１】
また、社団法人日本燐寸工業会で実施したアンケートによると、現在市販されている防災用のマッチは、スチール製の缶や箱に入れることで湿気を防ぎ、長期保存を可能にしているが、缶や箱を開けると湿気やすくなってしまうのが大きな課題である。側薬も湿気に弱く、現在のスチール缶は、筒状で携帯に不便であるとのことである。
【００１２】
本発明は、上記事情に鑑みたものであり、その目的とするところは、簡単かつ安価な構成であるにもかかわらず、災害時やアウトドアでの使用時に、確実に発火できる防水マッチ及びそれにより着火可能な防水線香を提供することである。
【課題を解決するための手段】
【００１３】
本発明は、マッチ棒を容器に収納した防水マッチであって、前記マッチ棒の頭薬と軸木とに撥水剤を全面塗布したことを特徴とするものである。
【００１４】
本発明によれば、前記マッチ棒の頭薬と軸木とに撥水剤を全面塗布したので、災害時やアウトドアでの使用時に、マッチ棒の頭薬と軸木とが水に濡れてしまい、あるいは湿気てしまって、肝心なときに使用できないといった不具合がなくなる。
【００１５】
請求項２記載の発明のように、前記容器の側薬に撥水剤を全面塗布することが好ましい。
【００１６】
請求項２記載の発明によれば、前記容器の側薬に撥水剤を全面塗布したので、災害時やアウトドアでの使用時に、容器の側薬が水に濡れてしまい、あるいは湿気てしまって、肝心なときに使用できないといった不具合がなくなる。
【００１７】
ただし、側薬の場合は、容器内のマッチ棒がなくなるまで、繰り返し使用するから、側薬に撥水剤を全面塗布した場合、その撥水剤がマッチ棒との擦過により剥がれてしまうおそれがある。そこで、請求項３記載の発明のように、前記容器の側薬に撥水剤を混合することにより、該側薬に撥水作用を持たせることが好ましい。
【００１８】
請求項３記載の発明によれば、前記容器の側薬に撥水剤を混合することにより、該側薬に撥水作用を持たせたので、容器内のマッチ棒がなくなるまで、繰り返し使用したとしても、側薬に塗布した撥水剤がマッチ棒との擦過により剥がれてしまうといった不具合がなくなる。
【００１９】
請求項４記載の発明のように、前記撥水剤は、シリコーン撥水剤であることが好ましい。
【００２０】
請求項４記載の発明によれば、前記撥水剤は、シリコーン撥水剤であるので、止水性に加えて、通気性をも有する。したがって、災害時やアウトドアでの使用時などに、容器内が湿気てしまったとしても、その蓋を開けておけば自然に乾いて、再度使用することができるようになる。
【００２１】
請求項５記載の発明のように、前記容器は、アルミニウム製の缶又は箱であることが好ましい。
【００２２】
請求項５記載の発明によれば、前記容器は、アルミニウム製の缶又は箱であるので、防水、耐水、耐衝撃、長期保存を併有する。ただし、アルミニウム製の箱の場合は、扁平形状として、さらに携帯利便性を持たせることもできる。
【００２３】
ところで、防水マッチであっても、それで着火する線香が湿気ていたのでは、不具合である。そこで、請求項６記載の発明は、請求項１〜５のいずれか１項に記載の防水マッチで着火可能な防水線香であって、前記線香本体に撥水剤を全面塗布するか、或いは、前記線香本体に撥水剤を混合することにより、該線香本体に撥水作用を持たせたことを特徴とするものである。
【００２４】
請求項６記載の発明によれば、前記線香本体に撥水剤を全面塗布するか、或いは、前記線香本体に撥水剤を混合することにより、該線香本体に撥水作用を持たせたので、アウトドアでの使用時に、線香本体が水に濡れてしまい、あるいは湿気てしまって、使用できないといった不具合がない。
【発明の効果】
【００２５】
本発明によれば、前記マッチ棒の頭薬と軸木とに撥水剤を全面塗布したので、災害時やアウトドアでの使用時に、マッチ棒の頭薬と軸木とが水に濡れてしまい、あるいは湿気てしまって、肝心なときに使用できないといった不具合がない。
【００２６】
請求項６記載の発明によれば、前記線香本体に撥水剤を全面塗布するか、或いは、前記線香本体に撥水剤を混合することにより、該線香本体に撥水作用を持たせたので、アウトドアでの使用時に、線香本体が水に濡れてしまい、あるいは湿気てしまって、使用できないといった不具合がない。
【図面の簡単な説明】
【００２７】
【図１】本発明の一実施形態に係るアルミ缶入りマッチの概略構成を示す斜視図である。
【図２】本発明の他の実施形態に係るアルミ箱入りマッチの概略構成を示す斜視図である。
【図３】本実施形態に係る製造工程図である。
【図４】性能試験の手順１を示す説明図である。
【図５】性能試験の手順２を示す説明図である。
【図６】性能試験の手順３を示す説明図である。
【図７】性能試験の手順４を示す説明図である。
【図８】防水マッチで防水線香を着火する様子を示す説明図である。
【図９】一般的なマッチの概略構成を示す斜視図である。
【図１０】一般的なマッチの製造工程図である。
【発明を実施するための形態】
【００２８】
図１は本発明の一実施形態に係るアルミ缶入りマッチ１０の概略構成を示す分解斜視図である。本実施形態に係るアルミ缶入りマッチ１０は、図１に示すように、全体がアルミニウム製でかつ円筒形状をなす缶（容器に相当する。）と、この缶内に収納される木製のマッチ棒２０とからなっている。なお、図１の缶内には、１本乃至数本のマッチ棒２０が装填されている場合を例示しているが、実際の製造時における缶内には、多数のマッチ棒２０がぎっしりと詰め込まれており、使用者による使用につれて、マッチ棒２０が徐々に減少していくものである。
【００２９】
缶は、さらに一端側が有底でかつ他端側が開口された缶体１と、この缶体１の開口部に嵌脱自在に嵌め込まれた蓋体２と、蓋体２の内側に設けられた擦合着火部（側薬を含む。）３とから構成されている。
【００３０】
缶の缶体１の最大高さは、この缶体１から蓋体２を外したときに、マッチ棒２０が缶体１の開口部から突出しない程度とし、また缶体１の直径は、マッチ棒２０が少なくなったときにも缶体１内でひっくり返って逆向きとならないように当該マッチ棒２０の全長より小さくするとともに、かつ、缶体１の開口部から使用者がマッチ棒２０を１本ずつその外部に容易に取り出すことができる程度のものとしている。
【００３１】
擦合着火部３は、赤燐・硫化アンチモン等からなる側薬（発火剤）に合成樹脂からなる接着剤とから構成されており、その擦合着火部３をシール状としたものを前記蓋体２の内側に貼り付けている。ただし、場合によっては、前記蓋体２の内側に前記擦合着火部３を直接塗布してもよい。擦合着火部３の側薬は、撥水加工されているものとする。具体的には、（１）擦合着火部３の側薬にシリコーン撥水剤を全面塗布して、乾燥させるか、あるいは、（２）擦合着火部３の側薬の製造時にシリコーン撥水剤を混合して、乾燥させている。
【００３２】
この缶の缶体１内において、マッチ棒２０と擦合着火部３とを隔離する隔離手段としての円形に切り抜かれた厚紙４と、缶体１と蓋体２とを嵌め込んだ状態で、該缶を密閉するシール手段としての例えば透明ビニール製の防水テープ（不図示）が、缶体１と蓋体２との境界部分に巻回されている。
【００３３】
マッチ棒２０は、さらに軸木２１と、この軸木２１の一端側に塗布された頭薬２２とから構成されている。
【００３４】
軸木２１は、例えば「アスペン」や「はくよう」といった雑木を断面四角の長尺状に成形したものであって、第二燐酸アンモニウム等からなり、この軸木２１の燃焼後の残火を防止して、燃えカスが落ちないようにするインプル剤と、パラフィンからなる燃焼剤とを浸潤させている。
【００３５】
頭薬２２は、塩素酸カリからなる酸化剤と、硫黄・松脂・膠等からなる燃焼剤と、ガラス粉・雲母・クレー粉（粘土）からなる調節剤と、膠からなる接着剤とから構成されている。頭薬２２と軸木２１とは撥水加工されているものとする。具体的には、（３）頭薬２２と軸木２１とにシリコーン撥水剤を全面塗布して、乾燥させている。頭薬２２の製造時にシリコーン撥水剤を混合して、乾燥させてもよい。
【００３６】
ここで、シリコーン撥水剤とは、ケイ素樹脂を結合した、透明または半透明の液体状のものであって、その撥水性、通気性により、建築材料などさまざま分野で使われている。市販品として、旭化成ワッカーシリコーン株式会社のワッカーＨＣ３０３（同社の登録商標）などがあり、これらは、通常、繊維、皮革、木材、コルク、紙等に使用されるが、分離・凝集の原因となるから、他薬品との併用は困難であるとされている。
【００３７】
したがって、マッチ棒の頭薬と側薬には、市販のシリコーン撥水剤を、そのまま適用することができない。そこで、本発明者は、マッチ棒２０の頭薬２２と軸木２１と、擦合着火部３の側薬とについて、上記（２）（３）の適用可能性を検証した。図４〜図７はその手順を示す説明図である。なお、上記（１）については、上記（３）と同様であるので、ここではその説明を省略した。
【００３８】
まず、通常のマッチ棒に撥水加工を施す。手作業で上記（３）の試作をしたところ、問題なく撥水加工を施すことができた。ついで、側薬に撥水加工を施す。手作業で上記（２）の試作をしたところ、問題なく撥水加工を施すことができた。そして、図４に示すように、撥水加工を施した側薬を用意する。その上から水を落とすと、図５に示すように、撥水していることがわかる。その後水を切った。撥水加工を施したマッチ棒についても、水に数分間浸してから水を切った。そして、図６に示すように、撥水加工したマッチ棒の軸木をもって頭薬で、撥水加工した側薬を擦過した。すると、図７に示すように、マッチ棒の頭薬は、簡単に発火した。
【００３９】
以下、上記検証を踏まえた、この缶入りマッチ１０の製造方法について概略説明する。図３はその製造工程図である。
【００４０】
図３において、まず原木をベニヤ状にした板を重ねて裁断し、発火の際に燃えカスが落ちないように軸木２１にしみこませて、いわゆるインプル加工を行う（ステップＳ１）。この軸木２１にパラフィンをしみこませ、調合した頭薬２２をつけて、乾燥する（ステップＳ２）。その頭薬２２と軸木２１とに特殊撥水加工剤を塗布する（ステップＳ３）。
【００４１】
ついで、別途製造しておいたアルミ缶を用意する（ステップＳ４）。アルミ缶の蓋体２の内側に貼り付けているシール状の擦合着火部３、あるいは、そこに直接塗布した擦合着火部３に撥水加工した側薬を塗布して、乾燥する（ステップＳ５）。
【００４２】
そして、アルミ缶の缶体１内に複数のマッチ棒２０をぎっしりと詰め込むが、このとき各マッチ棒２０の頭薬２２が缶体１の底部に向くようにして収納する。各マッチ棒２０の頭薬２２とは反対側となる缶体１の開口部に厚紙４を載せて、その上から蓋体２を嵌め込む（ステップＳ６）。缶体１と蓋体２との嵌め込み部分に図示しない防水テープを巻回すると、缶入りマッチ１０が完成する（ステップＳ７）。
【００４３】
以上説明したように、本実施形態のアルミ缶入りマッチ１０によれば、マッチ棒２０の頭薬２２と軸木２１とに撥水加工を施すとともに、アルミ缶１０の蓋体２内側の擦合着火部３の側薬にも撥水加工を施したので、災害時やアウトドアでの使用時に、マッチ棒２０の頭薬２２と軸木２１と、擦合着火部３の側薬とが水に濡れてしまい、あるいは湿気てしまって、肝心なときに使用できなくなるといった不具合がない。しかも、撥水加工にシリコーン撥水剤を使用することで、止水性に加えて、さらに通気性をも有する。これにより、万一アルミ缶内が湿気てしまったとしても、蓋体２を開けておけば自然に湿気がなくなり、再度使用することができるようになる。また、アルミニウム製の缶であるので、防水、耐水、耐衝撃、長期保存を併有する。
【００４４】
なお、上記実施形態では、アルミ缶入りのマッチ１０としているが、図２に示すような、アルミニウム製の箱入りのマッチ１０ａであってもよい。この場合は、扁平形状の箱体に、撥水加工したマッチ棒２０を入れて、アルミニウム製の箱の裏面に撥水加工した擦合着火部３ａの側薬を配置した蓋体２ａをスライドさせることでよい。この場合も、アルミニウム製の箱であるので、防水、耐水、耐衝撃、長期保存を有する。アルミニウム製の箱では、その扁平形状により、アルミ缶とは異なり、さらに携帯利便性をも有する。ただし、缶や箱の材料を、その他の金属、さらには合成樹脂などとしてもよく、それらの形状も円筒形状や扁平形状に限定されず、特に携帯利便性を要しない場合は、その他の形状、例えば楕円柱状や、四角柱・三角柱などの多角柱状としてもよい。
【００４５】
また、上記実施形態では、防水マッチ１０（１０ａ）について説明したが、そのマッチで着火する線香などにおいても、撥水加工をしておくのが好ましい。その撥水加工としては、防水マッチ１０（１０ａ）における側薬と同様に、線香本体３１に撥水剤を全面塗布するか、或いは、線香本体３１に撥水剤を混合することにより、その線香本体３１に撥水作用を持たせるものとなる。そして、図８に示すように、防水マッチ１０（１０ａ）で防水線香３０を着火する。防水マッチ１０（１０ａ）で着火可能な防水線香３０は、棒状線香に限らず、例えば蚊取り線香であってもよい。さらに、防水マッチ１０（１０ａ）で着火可能なあらゆる被着火物であってもよい。
【００４６】
また、上記実施形態では、防水マッチ１０（１０ａ）の頭薬２２と軸木２１と、擦合着火部３（３ａ）の側薬にそれぞれ手加工で撥水加工を施しているが、機械を用いて量産可能としてもよいことはもちろんである。この点、防水線香３０の線香本体３１の撥水加工についても同様である。
【符号の説明】
【００４７】
１，１ａ  缶体又は箱体（容器に相当する。）
２，２ａ  蓋体（容器に相当する。）
３，３ａ  擦合着火部（側薬を含む。）
４  厚紙
１０  アルミ缶入りマッチ
１０ａ  アルミ箱入りマッチ
２０  マッチ棒
２１  軸木
２２  頭薬
３０  防水線香
３１  線香本体
【先行技術文献】
【特許文献】
【００４８】
【特許文献１】実公平６−５０５２０号公報
【図１】
2016069257.tif 000003
【図２】
2016069257.tif 000004
【図３】
2016069257.tif 000005
【図８】
2016069257.tif 000006
【図９】
2016069257.tif 000007
【図１０】
2016069257.tif 000008
【図４】
2016069257.tif 000009
【図５】
2016069257.tif 000010
【図６】
2016069257.tif 000011
【図７】
2016069257.tif 000012